(57)【特許請求の範囲】
【請求項１】
ワイヤレス通信のための方法であって、
ユーザ機器（ＵＥ）が、同期化信号を検出し、前記検出された同期化信号を使用してセルとの同期化を取得するステップと、
前記ＵＥが、前記検出された同期化信号の特性に基づいて、前記同期化信号が発見バーストの一部であるかどうかを判定するステップと、
前記同期化信号が前記発見バーストの一部である場合に、前記ＵＥが、前記発見バースト内の信号に発見無線リソース管理（ＲＲＭ）測定を行うステップと
を含み、
前記特性は、
前記同期化信号のうちの少なくとも１つの同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、方法。
【請求項２】
前記同期化信号が前記発見バーストの一部である場合に、前記ＵＥが前記セルと同期化するステップをさらに含む、請求項１に記載の方法。
【請求項３】
前記同期化を取得するステップは、粗同期化を取得するステップを含み、サービングセルが前記特性のうちの少なくとも１つを前記ＵＥに知らせるステップをさらに含み、前記ＵＥが判定するステップは、前記ＵＥが前記検出された同期化信号の前記特性を検出するステップを含む、請求項１に記載の方法。
【請求項４】
サービングセルが、識別された同期化信号特性を伴って前記ＵＥを構成するステップをさらに含み、前記ＵＥが判定するステップは、前記ＵＥが、前記検出された同期化信号の前記特性を判定し、前記検出された同期化信号の前記特性が前記識別された同期化信号特性に従っていないため、前記同期化信号が前記発見バーストの一部ではないことを判定するステップを含む、請求項１に記載の方法。
【請求項５】
前記同期化を取得するステップは、粗同期化を取得するステップを含み、前記信号は、発見参照信号（ＤＲＳ）を含む、請求項１に記載の方法。
【請求項６】
前記発見ＲＲＭ測定は、前記セルで実行され、前記ＵＥが前記発見ＲＲＭ測定をサービングセルに報告するステップをさらに含む、請求項１に記載の方法。
【請求項７】
前記サービングセルが、前記ＵＥが前記セルと通信するべきかどうかを判定するステップをさらに含む、請求項６に記載の方法。
【請求項８】
サービングセルが、検索ウィンドウを伴って前記ユーザ機器（ＵＥ）を構成するステップをさらに含み、前記ＵＥが同期化信号を検出するステップは、前記ＵＥが前記構成された検索ウィンドウ内で前記同期化信号を検索するステップを含む、請求項１に記載の方法。
【請求項９】
前記ＵＥのために構成される前記検索ウィンドウは、前記ＵＥの測定間隙内に入る、請求項８に記載の方法。
【請求項１０】
前記発見ＲＲＭ測定は、参照信号受信電力（ＲＳＲＰ）および参照信号受信品質（ＲＳＲＱ）測定を含み、前記同期化信号は、一次同期化信号（ＰＳＳ）および二次同期化信号（ＳＳＳ）のうちの少なくとも１つを含む、請求項１に記載の方法。
【請求項１１】
前記時間差は、前記ＰＳＳから１つまたは３つのＯＦＤＭ記号後に伝送されている前記ＳＳＳを含む、請求項１に記載の方法。
【請求項１２】
前記シーケンスは、ＰＳＳ信号に使用されるシーケンスと、ＳＳＳ信号に使用されるシーケンスとを含み、前記シーケンスの前記組み合わせは、物理セルＩＤ（ＰＣＩ）に対応する、請求項１に記載の方法。
【請求項１３】
前記同期化信号は、ＰＳＳ信号およびＳＳＳ信号を含み、
前記発見バーストは、前記同期化信号に使用される１つまたはそれを上回るシーケンスを含み、前記シーケンスは、ＰＳＳ信号に使用されるシーケンスと、ＳＳＳ信号に使用されるシーケンスとを含み、
前記シーケンスの組み合わせは、物理セルＩＤ（ＰＣＩ）に対応する、請求項１に記載の方法。
【請求項１４】
前記同期化信号は、複数の二次同期化信号を含み、前記特性は、二次同期化信号の間の分離時間および前記二次同期化信号のシーケンスのうちの少なくとも１つを含む、請求項１に記載の方法。
【請求項１５】
前記ＵＥが、前記特性に基づいて、前記同期化信号が前記発見バーストの一部ではないレガシー信号であるかどうかを判定するステップをさらに含む、請求項１に記載の方法。
【請求項１６】
前記ＵＥが判定するステップは、前記ＵＥが前記発見バーストの同期化信号をレガシー同期化信号と区別するステップを含む、請求項１に記載の方法。
【請求項１７】
ワイヤレス通信のための方法であって、
サービングセルが、検索ウィンドウを伴ってユーザ機器（ＵＥ）を構成するステップと、
前記ＵＥが、前記構成された検索ウィンドウ内で同期化信号を検出するステップと、
前記ＵＥが、前記検出された同期化信号の特性に基づいて、前記検出された同期化信号が発見バーストの一部であるかどうかを判定するステップと、
前記同期化信号が前記発見バーストの一部である場合に、前記ＵＥが、前記発見バースト内の信号に発見無線リソース管理（ＲＲＭ）測定を行い、前記同期化信号が前記発見バーストの一部ではない場合に、前記ＵＥが、前記発見バースト内の信号にＲＲＭ測定を行わないステップと
を含み、
前記特性は、
前記同期化信号のうちの少なくとも１つの同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、方法。
【請求項１８】
前記ＵＥは、異種ネットワーク（ＨｅｔＮｅｔ）内の小型セルに前記発見ＲＲＭ測定を行い、前記ＵＥが、前記発見ＲＲＭ測定を前記サービングセルに報告するステップと、前記サービングセルが、前記ＵＥが前記小型セルと通信するべきかどうかを判定するステップとをさらに含む、請求項１７に記載の方法。
【請求項１９】
前記サービングセルが識別された同期化信号特性を前記ＵＥに知らせるステップをさらに含み、前記ＵＥが判定するステップは、前記ＵＥが、前記検出された同期化信号の前記特性を判定し、前記検出された同期化信号の前記特性が前記識別された同期化信号特性に従っていないため、前記同期化信号が前記発見バーストの一部ではないことを判定するステップを含む、請求項１７に記載の方法。
【請求項２０】
前記サービングセルが前記特性のうちの少なくとも１つを前記ＵＥに知らせるステップをさらに含む、請求項１７に記載の方法。
【請求項２１】
前記サービングセルが発見バーストに使用される物理セルＩＤ（ＰＣＩ）を前記ＵＥに知らせるステップをさらに含む、請求項１７に記載の方法。
【請求項２２】
前記ＵＥが、前記検出された同期化信号が発見バーストの一部であると判定する場合に、前記ＵＥが、前記検出された同期化信号を前記サービングセルに報告するステップをさらに含む、請求項１７に記載の方法。
【請求項２３】
前記信号は、前記検索ウィンドウの内側にあり、発見参照信号（ＤＲＳ）を含む、請求項１７に記載の方法。
【請求項２４】
前記ＳＳＳは、前記ＰＳＳから１つまたは３つのＯＦＤＭ記号後に伝送される、請求項１７に記載の方法。
【請求項２５】
前記ＵＥのために構成される前記検索ウィンドウは、前記ＵＥの測定間隙内に入る、請求項１７に記載の方法。
【請求項２６】
小型セルが前記発見バーストを伝送するステップと、前記同期化信号が前記発見バーストの一部である場合に、前記ＵＥが前記小型セルと同期化するステップとをさらに含む、請求項１７に記載の方法。
【請求項２７】
前記ＵＥが判定するステップは、前記ＵＥが、前記特性に基づいて、前記同期化信号が前記発見バーストの一部ではないレガシー信号であるかどうかを判定するステップを含む、請求項１７に記載の方法。
【請求項２８】
ワイヤレス通信のための方法であって、
サービングセルが、複数の検索ウィンドウ構成を伴ってＵＥを構成するステップと、
前記ＵＥが、前記複数の構成された検索ウィンドウ構成のうちの検出される構成された検索ウィンドウ構成内で同期化信号を検出するステップと、
前記ＵＥが、前記検出された同期化信号を使用して、送信セルとの粗同期化を取得するステップと、
前記ＵＥが、前記検出された同期化信号の特性に基づいて、前記同期化信号が前記送信セルによって送信される発見バーストの一部であるかどうかを判定するステップと、
前記同期化信号が前記発見バーストの一部である場合に、前記ＵＥが、前記発見バースト内の信号に発見ＲＲＭ測定を行うステップと、
前記同期化信号が前記発見バーストの一部である場合に、前記ＵＥが、前記発見ＲＲＭ測定の結果を前記サービングセルに報告するステップと、
前記サービングセルが、前記検出される構成された検索ウィンドウ構成が前記発見バーストを含有する適切な検索ウィンドウ構成であることを自律的に判定するステップと
を含み、
前記特性は、
前記同期化信号のうちの少なくとも１つの同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、方法。
【請求項２９】
前記サービングセルが、複数の検索ウィンドウ構成を伴ってＵＥを構成するステップは、前記サービングセルが、前記検索ウィンドウ構成のうちの１つを伴って前記ＵＥを失敗なく１つずつ構成するステップを含む、請求項２８に記載の方法。
【請求項３０】
前記検出される構成された検索ウィンドウ構成は、前記サービングセルによって構成される初期検索ウィンドウではなく、
前記ＵＥが、前記検出される構成された検索ウィンドウ構成に先立って前記サービングセルによって構成される、前記複数の検索ウィンドウ構成のうちの前の検索ウィンドウ構成内で同期化信号を検出しないステップをさらに含み、
前記サービングセルが、複数の検索ウィンドウ構成を伴ってＵＥを構成するステップは、前記サービングセルが、前記前の検索ウィンドウ構成の後に、後続の検索ウィンドウ構成を伴ってＵＥを構成するステップを含む、請求項２９に記載の方法。
【請求項３１】
ワイヤレス通信のための方法であって、
サービングセルが、複数の検索ウィンドウ構成を伴って複数のＵＥを構成するステップと、
前記複数のＵＥのうちの第１のＵＥが、前記複数の検索ウィンドウ構成のうちの第１の構成された検索ウィンドウ構成内で同期化信号を検出するステップと、
前記第１のＵＥが、前記検出された同期化信号を使用して、送信セルとの粗同期化を取得するステップと、
前記第１のＵＥが、前記検出された同期化信号の特性に基づいて、前記同期化信号が前記送信セルによって送信される発見バーストの一部であるかどうかを判定するステップと、
前記同期化信号が前記発見バーストの一部である場合に、前記第１のＵＥが、前記発見バースト内の信号に発見ＲＲＭ測定を行うステップと、
前記同期化信号が前記発見バーストの一部である場合に、前記第１のＵＥが、前記発見ＲＲＭ測定の結果を前記サービングセルに報告するステップと、
前記サービングセルが、前記第１の構成された検索ウィンドウ構成が前記発見バーストを含有する適切な検索ウィンドウ構成であることを自律的に判定するステップと
を含み、
前記特性は、
前記同期化信号のうちの少なくとも１つの同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、方法。
【請求項３２】
ワイヤレス通信のための方法であって、
ユーザ機器（ＵＥ）が、ＰＳＳ信号およびＳＳＳ信号を含む同期化信号を検出し、前記検出された同期化信号を使用して、セルとの粗同期化を取得するステップと、
前記ＵＥが、同期化信号に使用されるシーケンスの組み合わせが複数の発見バーストに使用されるＰＣＩに対応するかどうかを判定することによって、前記同期化信号が前記複数の発見バーストのうちの発見バーストの一部であるかどうかを判定するステップと
を含み、
前記ＰＣＩは、送信セルによって送信される前記複数の発見バーストに割り当てられるＰＣＩの第１のグループの一部であり、他のＰＣＩをレガシー同期化信号に割り当てるステップをさらに含む、方法。
【請求項３３】
前記同期化信号が前記発見バーストの一部である場合に、前記ＵＥが、前記発見バースト内の信号に発見無線リソース管理（ＲＲＭ）測定を行うステップをさらに含む、請求項３２に記載の方法。
【請求項３４】
検索ウィンドウを伴ってユーザ機器（ＵＥ）を構成するように適合される、サービングセルと、
前記構成された検索ウィンドウ内で同期化信号を検出するように構成される、前記ＵＥと、
前記検出された同期化信号の特性に基づいて、前記検出された同期化信号が送信セルによって送信される発見バーストの一部であるかどうかを判定するように構成される、前記ＵＥと、
前記同期化信号が前記発見バーストの一部である場合に、前記発見バースト内の信号に発見無線リソース管理（ＲＲＭ）測定を行うように構成される、前記ＵＥであって、前記同期化信号が前記発見バーストの一部ではない場合に、前記検索ウィンドウ内の信号に発見ＲＲＭ測定を行わないように構成される、前記ＵＥと
を備え、
前記特性は、
前記同期化信号のうちの少なくとも１つの同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、ワイヤレス通信システム。
【請求項３５】
前記ＵＥはさらに、前記検出された同期化信号を使用して、前記送信セルとの粗同期化を取得するように構成される、請求項３４に記載のワイヤレス通信システム。
【請求項３６】
前記ＵＥはさらに、前記特性を判定するように構成される、請求項３４に記載のワイヤレス通信システム。
【請求項３７】
前記特性は、ＰＣＩに対応する、前記同期化信号に使用されるシーケンスの組み合わせを含む、請求項３４に記載のワイヤレス通信システム。
【請求項３８】
判定するように構成される前記ＵＥは、前記特性を検出することと、前記特性に基づいて前記同期化信号が前記発見バーストの一部ではないレガシー信号であるかどうかを判定することとを行うように構成される、前記ＵＥを含む、請求項３４に記載のワイヤレス通信システム。
【請求項３９】
前記発見ＲＲＭ測定を前記サービングセルに報告するように構成される前記ＵＥをさらに備える、請求項３４に記載のワイヤレス通信システム。
【請求項４０】
識別された同期化信号特性を前記ＵＥに知らせるように構成される、前記サービングセルをさらに備え、判定するように構成される前記ＵＥは、前記特性を判定することと、前記検出された同期化信号の前記特性が前記識別された同期化信号特性に従っていないため、前記同期化信号が前記発見バーストの一部ではないことを判定することとを行うように構成される、前記ＵＥを含む、請求項３４に記載のワイヤレス通信システム。
【請求項４１】
コンピュータ実行可能プログラムコードを備える、非一過性コンピュータ可読記憶媒体であって、前記プログラムコードは、プロセッサによって実行されたときに、ワイヤレス通信システム内のワイヤレス通信のための方法を行い、前記方法は、
ユーザ機器（ＵＥ）が、同期化信号を検出し、前記検出された同期化信号を使用してセルとの粗同期化を取得するステップと、
前記ＵＥが、前記検出された同期化信号の特性に基づいて、前記同期化信号が発見バーストの一部であるかどうかを判定するステップと、
前記同期化信号が前記発見バーストの一部である場合に、前記ＵＥが、前記発見バースト内の信号に発見無線リソース管理（ＲＲＭ）測定を行い、前記同期化信号が前記発見バーストの一部ではない場合に、前記ＵＥが、前記検索ウィンドウ内の信号にＲＲＭ測定を行わないステップと
を含み、
前記特性は、
前記同期化信号のうちの少なくとも１つの同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、非一過性コンピュータ可読記憶媒体。
【請求項４２】
前記方法はさらに、サービングセルが識別された同期化信号特性を前記ＵＥに知らせるステップをさらに含み、前記ＵＥが判定するステップは、前記ＵＥが、前記検出された同期化信号の前記特性を判定し、前記検出された同期化信号の前記特性が前記識別された同期化信号特性に従っていない場合に、前記同期化信号が前記発見バーストの一部ではないことを判定するステップを含む、請求項４１に記載の非一過性コンピュータ可読記憶媒体。
【請求項４３】
前記信号は、チャネル状態情報参照信号（ＣＳＩ−ＲＳ）を含み、前記ＵＥが判定するステップは、前記ＵＥが前記検出された同期化信号の前記特性を判定するステップを含み、前記方法はさらに、前記同期化信号が発見バーストの一部である場合に、前記ＵＥが前記セルと同期化し、前記発見ＲＲＭ測定をサービングセルに報告するステップを含む、請求項４１に記載の非一過性コンピュータ可読記憶媒体。
【発明の詳細な説明】
【技術分野】
【０００１】
（関連出願）
本願は、２０１４年３月２７日に出願され、Ｍｅｔｈｏｄ  ａｎｄ  Ｓｙｓｔｅｍ  ｆｏｒ  Ｐｅｒｆｏｒｍｉｎｇ  Ｍｅａｓｕｒｅｍｅｎｔｓ  Ｂａｓｅｄ  ｏｎ  Ｓｙｎｃｈｒｏｎｉｚａｔｉｏｎ  Ｓｉｇｎａｌ  Ｐｒｏｐｅｒｔｉｅｓと題された、米国仮出願第６１／９７１，０２１号に関しており、それに対する優先権を主張するものであり、該仮出願の内容は、あたかもその全体が開示されているかのように参照により本明細書中に援用される。
【０００２】
本開示は、ワイヤレス通信システムおよび方法に関し、より具体的には、同期化信号を識別および区別し、同期化信号の特性に基づいて測定を行うことに関する。
【背景技術】
【０００３】
ワイヤレス通信は、セルと、セルと通信するユーザ機器（ＵＥ）との間の同期化に依拠する。ＬＴＥ（ロングタームエボリューション）システムおよびプロトコルでは、そのような同期化のために利用可能な一次同期化信号（ＰＳＳ）および二次同期化信号（ＳＳＳ）がある。これらのダウンリンク信号は、典型的には、１０ミリ秒毎の無線フレーム内でｅＮｏｄｅＢ（進化型ノードＢとしても公知である、Ｅ−ＵＴＲＡＮノードＢ）によって伝送される。ＰＳＳおよびＳＳＳは、そのうちのいくつかが以下で概説される、いくつかの目的を果たす。
【０００４】
ユーザ機器（ＵＥ）は、典型的には、ＰＳＳを検索することによって、粗い時間および周波数同期化を取得する。ＳＳＳもまた、本プロセスで使用されてもよい。
【０００５】
フレームタイミング検出が、以下のように達成されてもよい。レガシー、すなわち、従来の単一キャリア動作に関して、ＬＴＥセルが、５ミリ秒毎に、すなわち、１つの無線フレームにつき２回、同一のＰＳＳを伝送する。５ミリ秒毎に、すなわち、１つの無線フレームにつき２回、セルがＳＳＳを伝送するが、各第２のＳＳＳのみが同一の信号である。したがって、単一のＰＳＳおよび単一のＳＳＳを検出することによって、ＵＥは、フレームタイミングを推測することができる。
【０００６】
多くの周波数分割二重（ＦＤＤ）ＬＴＥシステムでは、ＳＳＳは、ＰＳＳの直前の記号として伝送される。多くの時分割二重（ＴＤＤ）ＬＴＥシステムでは、ＳＳＳは、ＰＳＳより３つの記号前に伝送される。したがって、ＰＳＳ／ＳＳＳを検出することによって、ＵＥは、周波数分割二重（ＦＤＤ）または時分割二重（ＴＤＤ）がセルで使用されるかどうかを推測することができる。
【０００７】
セル識別検出もまた、ＵＥによって実行されてもよい。異なるシーケンス（すなわち、信号）が、ＰＳＳおよびＳＳＳに使用されてもよい。ＰＳＳおよびＳＳＳシーケンスの異なる組み合わせは、異なる物理セルＩＤ（ＰＣＩ）に対応する。したがって、ＰＳＳ／ＳＳＳを検出することによって、ＵＥは、セルのＰＣＩを推測することができる。無線リソース管理（ＲＲＭ）測定では、ＵＥは、ダウンリンクに測定を行う。ＬＴＥにおける典型的ＲＲＭ測定は、参照信号受信電力（ＲＳＲＰ）と、参照信号受信品質（ＲＳＲＱ）とを含む。レガシーＬＴＥ  ＲＲＭ測定は、セル特有の参照信号（ＣＲＳ）に基づく。ＵＥの構成および状態に基づいて、ＵＥは、ＲＲＭ測定結果をサービングセルに報告する。ＲＲＭ測定報告の１つの目的は、サービングセルが、ＵＥが測定されたセルとの通信のためにハンドオーバされるべきかどうかを決定することである。
【発明の概要】
【課題を解決するための手段】
【０００８】
本開示は、レガシー同期化信号の特性および特徴と区別可能である、発見バースト内の同期化信号の新規特性および特徴を提供する。本開示は、修正されたＰＳＳおよび／またはＳＳＳ特性が記載される、いくつかのＬＴＥ実施形態を提供する。そのような設計を用いると、ＵＥは、送信セルを識別してそれと同期化し、送信セルにＲＲＭ測定を実行し、誤った測定をもたらし得る、他の信号を発見バーストと間違えることを回避することができる。これは、例えば、ＵＥが誤った発見バースト検索ウィンドウを伴って構成される場合に起こり得る。ＵＥプロシージャは、同期化信号の特性について調整される測定のために規定される。加えて、自律検索ウィンドウ検出のための用途が提示される。
【０００９】
発見およびＲＲＭ測定のための新しい機構が、提供される。サービングセルは、ＵＥが、小型セルであり得る送信セルによって送信される発見バーストを見出すために検索するように使用するために、検索ウィンドウを構成する。ＨｅｔＮｅｔ構成は、低電力ノード（ＬＰＮ）である小型セルを含む。ＨｅｔＮｅｔ構成では、小型セル発見が実行されなければならない。検索ウィンドウは、ＵＥによって使用される測定間隙内に入る場合もあり、入らない場合もある。サービングセルは、検索ウィンドウを正確に構成するために、発見バーストの伝送時間を把握しなければならないが、たとえサービングセルが発見バーストの伝送時間を把握しなくても、ＵＥは、本開示によって提供される利点により、サービングセルが伝送時間を把握しなかった場合に要求されるであろうような複数の付加的な複雑検出動作を行う必要はない。発見バーストは、ＰＳＳ、ＳＳＳ、ＤＳ、ＣＳＩ−ＲＳ、または他の信号を含んでもよい。ＵＥは、同期化、フレーム検出、ＦＤＤ／ＴＤＤ検出、およびセル識別検出に関係付けられる種々の目的で、ＰＳＳ／ＳＳＳを使用する。ＵＥは、以下で詳述されるように、送信セルを測定するためにこれらの信号を使用する。
【００１０】
ＵＥがＰＳＳまたはＰＳＳ／ＳＳＳを含む発見バーストを検出する場合、ＵＥは、本開示の側面によると、ＰＳＳまたはＰＳＳ／ＳＳＳが発見バーストの一部であるかどうか、もしくはＰＳＳまたはＰＳＳ／ＳＳＳがレガシー信号の一部であるかどうかを判定することができる。ＵＥは、同期化信号をレガシー同期化信号と区別するように、同期化信号の特性を検出することによって、これを行い、それによって、ＵＥが発見バースト内のレガシー信号を送信セルによって送信される発見信号と間違え、間違った信号にＲＲＭ測定を行うことを回避する。１つのそのような同期化信号特性は、発見バースト内のＰＳＳとＳＳＳとの間の時間差である。別の特性は、発見バースト内のＰＳＳとＳＳＳとの間の周波数差である。別の同期化信号特性は、同期化信号のシーケンスである。いくつかの実施形態では、発見バーストは、複数のＰＳＳを含み、いくつかの実施形態では、発見バーストは、複数のＳＳＳを含む。いくつかの実施形態では、発見バーストは、１つまたは複数のＰＳＳと、１つまたは複数のＳＳＳとを含有する。ＵＥは、発見バースト内の他の信号にＲＲＭ測定を行う。ＲＲＭ測定が行われ得る信号は、本明細書では、同期化信号が発見バーストの一部である場合に検索ウィンドウの内側に含まれるであろうような発見参照信号ＤＲＳと称される。ＲＲＭ測定は、参照信号受信電力（ＲＳＲＰ）および参照信号受信品質（ＲＳＲＱ）測定を含む。ＵＥは、ＲＲＭ測定結果をサービングセルに報告する。ＲＲＭ測定報告の１つの目的は、サービングセルが、ＵＥが測定されたセルにハンドオーバされるべきかどうかを決定することである。
例えば、本発明は、以下を提供する。
（項目１）
ワイヤレス通信のための方法であって、
ユーザ機器（ＵＥ）が、同期化信号を検出し、前記検出された同期化信号を使用してセルとの同期化を取得するステップと、
前記ＵＥが、前記検出された同期化信号の特性に基づいて、前記同期化信号が発見バーストの一部であるかどうかを判定するステップと、
前記同期化信号が前記発見バーストの一部である場合に、前記ＵＥが、前記発見バースト内の信号に発見無線リソース管理（ＲＲＭ）測定を行うステップと
を含む、方法。
（項目２）
前記同期化信号が前記発見バーストの一部である場合に、前記ＵＥが前記セルと同期化するステップをさらに含む、項目１に記載の方法。
（項目３）
前記同期化を取得するステップは、粗同期化を取得するステップを含み、サービングセルが前記特性のうちの少なくとも１つを前記ＵＥに知らせるステップをさらに含み、前記ＵＥが判定するステップは、前記ＵＥが前記検出された同期化信号の前記特性を検出するステップを含む、項目１に記載の方法。
（項目４）
サービングセルが、識別された同期化信号特性を伴って前記ＵＥを構成するステップをさらに含み、前記ＵＥが判定するステップは、前記ＵＥが、前記検出された同期化信号の前記特性を判定し、前記検出された同期化信号の前記特性が前記識別された同期化信号特性に従っていないため、前記同期化信号が前記発見バーストの一部ではないことを判定するステップを含む、項目１に記載の方法。
（項目５）
前記同期化を取得するステップは、粗同期化を取得するステップを含み、前記信号は、発見参照信号（ＤＲＳ）を含む、項目１に記載の方法。
（項目６）
前記発見ＲＲＭ測定は、前記セルで実行され、前記ＵＥが前記発見ＲＲＭ測定をサービングセルに報告するステップをさらに含む、項目１に記載の方法。
（項目７）
前記サービングセルが、前記ＵＥが前記セルと通信するべきかどうかを判定するステップをさらに含む、項目６に記載の方法。
（項目８）
サービングセルが、検索ウィンドウを伴って前記ユーザ機器（ＵＥ）を構成するステップをさらに含み、前記ＵＥが同期化信号を検出するステップは、前記ＵＥが前記構成された検索ウィンドウ内で前記同期化信号を検索するステップを含む、項目１に記載の方法。
（項目９）
前記ＵＥのために構成される前記検索ウィンドウは、前記ＵＥの測定間隙内に入る、項目８に記載の方法。
（項目１０）
前記発見ＲＲＭ測定は、参照信号受信電力（ＲＳＲＰ）および参照信号受信品質（ＲＳＲＱ）測定を含み、前記同期化信号は、一次同期化信号（ＰＳＳ）および二次同期化信号（ＳＳＳ）のうちの少なくとも１つを含む、項目１に記載の方法。
（項目１１）
前記発見バーストは、一次同期化信号（ＰＳＳ）、二次同期化信号（ＳＳＳ）、発見参照信号（ＤＲＳ）、およびチャネル状態情報参照信号（ＣＳＩ−ＲＳ）のうちの少なくとも１つを含む、項目１に記載の方法。
（項目１２）
前記特性のうちの１つは、前記発見バースト内の一次同期化信号（ＰＳＳ）と二次同期化信号（ＳＳＳ）との間の時間差を含む、項目１に記載の方法。
（項目１３）
前記時間差は、前記ＰＳＳから１つまたは３つのＯＦＤＭ記号後に伝送されている前記ＳＳＳを含む、項目１１に記載の方法。
（項目１４）
前記特性のうちの１つは、前記発見バースト内の一次同期化信号（ＰＳＳ）と二次同期化信号（ＳＳＳ）との間の周波数差を含む、項目１に記載の方法。
（項目１５）
前記特性のうちの１つは、前記同期化信号に使用される１つまたはそれを上回るシーケンス、もしくは前記シーケンスの組み合わせを含む、項目１に記載の方法。
（項目１６）
前記発見バーストは、前記１つまたはそれを上回るシーケンスを含み、前記シーケンスは、ＰＳＳ信号に使用されるシーケンスと、ＳＳＳ信号に使用されるシーケンスとを含み、前記シーケンスの前記組み合わせは、物理セルＩＤ（ＰＣＩ）に対応する、項目１５に記載の方法。
（項目１７）
前記特性は、前記同期化信号に使用される１つまたはそれを上回るシーケンス、もしくは前記シーケンスの組み合わせ、さらには、前記発見バースト内の一次同期化信号（ＰＳＳ）と二次同期化信号（ＳＳＳ）との間の時間差を含む、項目１に記載の方法。
（項目１８）
前記同期化信号は、ＰＳＳ信号およびＳＳＳ信号を含み、
前記発見バーストは、前記同期化信号に使用される１つまたはそれを上回るシーケンスを含み、前記シーケンスは、ＰＳＳ信号に使用されるシーケンスと、ＳＳＳ信号に使用されるシーケンスとを含み、
前記シーケンスの組み合わせは、物理セルＩＤ（ＰＣＩ）に対応する、項目１に記載の方法。
（項目１９）
前記同期化信号は、複数の二次同期化信号を含み、前記特性は、二次同期化信号の間の分離時間および前記二次同期化信号のシーケンスのうちの少なくとも１つを含む、項目１に記載の方法。
（項目２０）
前記ＵＥが、前記特性に基づいて、前記同期化信号が前記発見バーストの一部ではないレガシー信号であるかどうかを判定するステップをさらに含む、項目１に記載の方法。
（項目２１）
前記ＵＥが判定するステップは、前記ＵＥが前記発見バーストの同期化信号をレガシー同期化信号と区別するステップを含む、項目１に記載の方法。
（項目２２）
ワイヤレス通信のための方法であって、
サービングセルが、検索ウィンドウを伴ってユーザ機器（ＵＥ）を構成するステップと、
前記ＵＥが、前記構成された検索ウィンドウ内で同期化信号を検出するステップと、
前記ＵＥが、前記検出された同期化信号の特性に基づいて、前記検出された同期化信号が発見バーストの一部であるかどうかを判定するステップと、
前記同期化信号が前記発見バーストの一部である場合に、前記ＵＥが、前記発見バースト内の信号に発見無線リソース管理（ＲＲＭ）測定を行い、前記同期化信号が前記発見バーストの一部ではない場合に、前記ＵＥが、前記発見バースト内の信号にＲＲＭ測定を行わないステップと
を含む、方法。
（項目２３）
前記ＵＥは、異種ネットワーク（ＨｅｔＮｅｔ）内の小型セルに前記発見ＲＲＭ測定を行い、前記ＵＥが、前記発見ＲＲＭ測定を前記サービングセルに報告するステップと、前記サービングセルが、前記ＵＥが前記小型セルと通信するべきかどうかを判定するステップとをさらに含む、項目２２に記載の方法。
（項目２４）
前記サービングセルが識別された同期化信号特性を前記ＵＥに知らせるステップをさらに含み、前記ＵＥが判定するステップは、前記ＵＥが、前記検出された同期化信号の前記特性を判定し、前記検出された同期化信号の前記特性が前記識別された同期化信号特性に従っていないため、前記同期化信号が前記発見バーストの一部ではないことを判定するステップを含む、項目２２に記載の方法。
（項目２５）
前記サービングセルが前記特性のうちの少なくとも１つを前記ＵＥに知らせるステップをさらに含む、項目２２に記載の方法。
（項目２６）
前記サービングセルが発見バーストに使用される物理セルＩＤ（ＰＣＩ）を前記ＵＥに知らせるステップをさらに含む、項目２２に記載の方法。
（項目２７）
前記ＵＥが、前記検出された同期化信号が発見バーストの一部であると判定する場合に、前記ＵＥが、前記検出された同期化信号を前記サービングセルに報告するステップをさらに含む、項目２２に記載の方法。
（項目２８）
前記信号は、前記検索ウィンドウの内側にあり、発見参照信号（ＤＲＳ）を含む、項目２２に記載の方法。
（項目２９）
前記特性のうちの１つは、前記同期化信号のうちの１つに使用されるシーケンスである、項目２２に記載の方法。
（項目３０）
前記特性のうちの１つは、前記発見バースト内の一次同期化信号（ＰＳＳ）と二次同期化信号（ＳＳＳ）との間の時間差を含み、前記ＳＳＳは、前記ＰＳＳから１つまたは３つのＯＦＤＭ記号後に伝送される、項目２２に記載の方法。
（項目３１）
前記特性のうちの１つは、前記発見バースト内の一次同期化信号（ＰＳＳ）と二次同期化信号（ＳＳＳ）との間の周波数差を含む、項目２２に記載の方法。
（項目３２）
前記ＵＥのために構成される前記検索ウィンドウは、前記ＵＥの測定間隙内に入る、項目２２に記載の方法。
（項目３３）
小型セルが前記発見バーストを伝送するステップと、前記同期化信号が前記発見バーストの一部である場合に、前記ＵＥが前記小型セルと同期化するステップとをさらに含む、項目２２に記載の方法。
（項目３４）
前記ＵＥが判定するステップは、前記ＵＥが、前記特性に基づいて、前記同期化信号が前記発見バーストの一部ではないレガシー信号であるかどうかを判定するステップを含む、項目２２に記載の方法。
（項目３５）
前記特性は、
前記同期化信号のうちの少なくとも１つの同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、項目３４に記載の方法。
（項目３６）
ワイヤレス通信のための方法であって、
サービングセルが、複数の検索ウィンドウ構成を伴ってＵＥを構成するステップと、
前記ＵＥが、前記複数の構成された検索ウィンドウ構成のうちの検出される構成された検索ウィンドウ構成内で同期化信号を検出するステップと、
前記ＵＥが、前記検出された同期化信号を使用して、送信セルとの粗同期化を取得するステップと、
前記ＵＥが、前記検出された同期化信号の特性に基づいて、前記同期化信号が前記送信セルによって送信される発見バーストの一部であるかどうかを判定するステップと、
前記同期化信号が前記発見バーストの一部である場合に、前記ＵＥが、前記発見バースト内の信号に発見ＲＲＭ測定を行うステップと、
前記同期化信号が前記発見バーストの一部である場合に、前記ＵＥが、前記発見ＲＲＭ測定の結果を前記サービングセルに報告するステップと、
前記サービングセルが、前記検出される構成された検索ウィンドウ構成が前記発見バーストを含有する適切な検索ウィンドウ構成であることを自律的に判定するステップと
を含む、方法。
（項目３７）
前記サービングセルが、複数の検索ウィンドウ構成を伴ってＵＥを構成するステップは、前記サービングセルが、前記検索ウィンドウ構成のうちの１つを伴って前記ＵＥを失敗なく１つずつ構成するステップを含む、項目３６に記載の方法。
（項目３８）
前記検出される構成された検索ウィンドウ構成は、前記サービングセルによって構成される初期検索ウィンドウではなく、
前記ＵＥが、前記検出される構成された検索ウィンドウ構成に先立って前記サービングセルによって構成される、前記複数の検索ウィンドウ構成のうちの前の検索ウィンドウ構成内で同期化信号を検出しないステップをさらに含み、
前記サービングセルが、複数の検索ウィンドウ構成を伴ってＵＥを構成するステップは、前記サービングセルが、前記前の検索ウィンドウ構成の後に、後続の検索ウィンドウ構成を伴ってＵＥを構成するステップを含む、項目３７に記載の方法。
（項目３９）
前記特性は、
前記同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、項目３６に記載の方法。
（項目４０）
ワイヤレス通信のための方法であって、
サービングセルが、複数の検索ウィンドウ構成を伴って複数のＵＥを構成するステップと、
前記複数のＵＥのうちの第１のＵＥが、前記複数の検索ウィンドウ構成のうちの第１の構成された検索ウィンドウ構成内で同期化信号を検出するステップと、
前記第１のＵＥが、前記検出された同期化信号を使用して、送信セルとの粗同期化を取得するステップと、
前記第１のＵＥが、前記検出された同期化信号の特性に基づいて、前記同期化信号が前記送信セルによって送信される発見バーストの一部であるかどうかを判定するステップと、
前記同期化信号が前記発見バーストの一部である場合に、前記第１のＵＥが、前記発見バースト内の信号に発見ＲＲＭ測定を行うステップと、
前記同期化信号が前記発見バーストの一部である場合に、前記第１のＵＥが、前記発見ＲＲＭ測定の結果を前記サービングセルに報告するステップと、
前記サービングセルが、前記第１の構成された検索ウィンドウ構成が前記発見バーストを含有する適切な検索ウィンドウ構成であることを自律的に判定するステップと
を含む、方法。
（項目４１）
前記特性は、
前記同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、項目４０に記載の方法。
（項目４２）
ワイヤレス通信のための方法であって、
ユーザ機器（ＵＥ）が、ＰＳＳ信号およびＳＳＳ信号を含む同期化信号を検出し、前記検出された同期化信号を使用して、セルとの粗同期化を取得するステップと、
前記ＵＥが、同期化信号に使用されるシーケンスの組み合わせが複数の発見バーストに使用されるＰＣＩに対応するかどうかを判定することによって、前記同期化信号が前記複数の発見バーストのうちの発見バーストの一部であるかどうかを判定するステップと
を含む、方法。
（項目４３）
前記同期化信号が前記発見バーストの一部である場合に、前記ＵＥが、前記発見バースト内の信号に発見無線リソース管理（ＲＲＭ）測定を行うステップをさらに含む、項目４２に記載の方法。
（項目４４）
前記ＰＣＩは、送信セルによって送信される前記複数の発見バーストに割り当てられるＰＣＩの第１のグループの一部であり、他のＰＣＩをレガシー同期化信号に割り当てるステップをさらに含む、項目４２に記載の方法。
（項目４５）
ワイヤレス通信のための方法であって、
第１の物理セル識別（ＰＣＩ）を送信セルによって送信される発見バーストに割り当て、第２のＰＣＩをレガシー同期化信号に割り当てるステップと、
ユーザ機器（ＵＥ）が、ＰＳＳ信号およびＳＳＳ信号を含む同期化信号を検出し、前記検出された同期化信号を使用して、同期化を取得するステップと、
前記ＵＥが、前記同期化信号に使用されるシーケンスの組み合わせが前記第１のＰＣＩのうちのＰＣＩに対応するかどうかを判定することによって、前記同期化信号が発見バーストの一部であるかどうかを判定するステップと
を含む、方法。
（項目４６）
検索ウィンドウを伴ってユーザ機器（ＵＥ）を構成するように適合される、サービングセルと、
前記構成された検索ウィンドウ内で同期化信号を検出するように構成される、前記ＵＥと、
前記検出された同期化信号の特性に基づいて、前記検出された同期化信号が送信セルによって送信される発見バーストの一部であるかどうかを判定するように構成される、前記ＵＥと、
前記同期化信号が前記発見バーストの一部である場合に、前記発見バースト内の信号に発見無線リソース管理（ＲＲＭ）測定を行うように構成される、前記ＵＥであって、前記同期化信号が前記発見バーストの一部ではない場合に、前記検索ウィンドウ内の信号に発見ＲＲＭ測定を行わないように構成される、前記ＵＥと
を備える、ワイヤレス通信システム。
（項目４７）
前記ＵＥはさらに、前記検出された同期化信号を使用して、前記送信セルとの粗同期化を取得するように構成される、項目４６に記載のワイヤレス通信システム。
（項目４８）
前記ＵＥはさらに、前記特性を判定するように構成される、項目４６に記載のワイヤレス通信システム。
（項目４９）
前記特性は、前記発見バースト内の一次同期化信号（ＰＳＳ）と二次同期化信号（ＳＳＳ）との間の周波数差を含む、項目４６に記載のワイヤレス通信システム。
（項目５０）
前記特性は、前記発見バースト内の一次同期化信号（ＰＳＳ）と二次同期化信号（ＳＳＳ）との間の時間差を含む、項目４６に記載のワイヤレス通信システム。
（項目５１）
前記特性は、前記同期化信号に使用されるシーケンスを含む、項目４０に記載のワイヤレス通信システム。
（項目５２）
前記特性は、ＰＣＩに対応する、前記同期化信号に使用されるシーケンスの組み合わせを含む、項目５１に記載のワイヤレス通信システム。
（項目５３）
判定するように構成される前記ＵＥは、前記特性を検出することと、前記特性に基づいて前記同期化信号が前記発見バーストの一部ではないレガシー信号であるかどうかを判定することとを行うように構成される、前記ＵＥを含む、項目４６に記載のワイヤレス通信システム。
（項目５４）
前記発見ＲＲＭ測定を前記サービングセルに報告するように構成される前記ＵＥをさらに備える、項目４６に記載のワイヤレス通信システム。
（項目５５）
識別された同期化信号特性を前記ＵＥに知らせるように構成される、前記サービングセルをさらに備え、判定するように構成される前記ＵＥは、前記特性を判定することと、前記検出された同期化信号の前記特性が前記識別された同期化信号特性に従っていないため、前記同期化信号が前記発見バーストの一部ではないことを判定することとを行うように構成される、前記ＵＥを含む、項目４６に記載のワイヤレス通信システム。
（項目５６）
コンピュータ実行可能プログラムコードを備える、非一過性コンピュータ可読記憶媒体であって、前記プログラムコードは、プロセッサによって実行されたときに、ワイヤレス通信システム内のワイヤレス通信のための方法を行い、前記方法は、
ユーザ機器（ＵＥ）が、同期化信号を検出し、前記検出された同期化信号を使用してセルとの粗同期化を取得するステップと、
前記ＵＥが、前記検出された同期化信号の特性に基づいて、前記同期化信号が発見バーストの一部であるかどうかを判定するステップと、
前記同期化信号が前記発見バーストの一部である場合に、前記ＵＥが、前記発見バースト内の信号に発見無線リソース管理（ＲＲＭ）測定を行い、前記同期化信号が前記発見バーストの一部ではない場合に、前記ＵＥが、前記検索ウィンドウ内の信号にＲＲＭ測定を行わないステップと
を含む、非一過性コンピュータ可読記憶媒体。
（項目５７）
前記方法はさらに、サービングセルが識別された同期化信号特性を前記ＵＥに知らせるステップをさらに含み、前記ＵＥが判定するステップは、前記ＵＥが、前記検出された同期化信号の前記特性を判定し、前記検出された同期化信号の前記特性が前記識別された同期化信号特性に従っていない場合に、前記同期化信号が前記発見バーストの一部ではないことを判定するステップを含む、項目５６に記載の非一過性コンピュータ可読記憶媒体。
（項目５８）
前記特性は、
前記同期化信号に使用されるシーケンスと、
前記発見バースト内の一次同期化信号（ＰＳＳ）と二次同期化信号（ＳＳＳ）との間の時間差と、
前記発見バースト内の前記ＰＳＳと前記ＳＳＳとの間の周波数差と
のうちの少なくとも１つを含む、項目５６に記載の非一過性コンピュータ可読記憶媒体。
（項目５９）
前記信号は、チャネル状態情報参照信号（ＣＳＩ−ＲＳ）を含み、前記ＵＥが判定するステップは、前記ＵＥが前記検出された同期化信号の前記特性を判定するステップを含み、前記方法はさらに、前記同期化信号が発見バーストの一部である場合に、前記ＵＥが前記セルと同期化し、前記発見ＲＲＭ測定をサービングセルに報告するステップを含む、項目５６に記載の非一過性コンピュータ可読記憶媒体。
【００１１】
本発明は、付随の図面と併せて読まれることによって、以下の詳細な説明から最良に理解される。一般的な実践によると、図面の種々の特徴は、必ずしも、縮尺通りではないことが強調される。類似番号は、本明細書および図面の全体を通して類似特徴を示す。
【図面の簡単な説明】
【００１２】
【図１】図１は、本開示の種々の実施形態による、方法を例証するフローチャートである。
【図２】図２は、本開示の種々の実施形態による、方法を例証するフローチャートである。
【図３】図３は、本開示の種々の実施形態による、方法を例証するフローチャートである。
【図４】図４は、本開示の種々の実施形態による、方法を例証するフローチャートである。
【発明を実施するための形態】
【００１３】
３ＧＰＰでは、小型セル発見と呼ばれる、発見およびＲＲＭ測定のための新しい機構を導入する現行の作業がある。これは、例えば、その内容がそれらの全体として記載される場合のように、参照することによって本明細書に組み込まれる、７．２．４．２．２  ３ＧＰＰ「Ｄｒａｆｔ  ｍｉｎｕｔｅｓ  ｒｅｐｏｒｔ  ｏｆ  ３ＧＰＰ  ＴＳＧ  ＲＡＮ  ＷＧ１  ＃７６  ｖ０．２．０  （Ｐｒａｇｕｅ，  Ｃｚｅｃｈ  Ｒｅｐ．，  １０ｔｈ−１４ｔｈ  Ｆｅｂｒｕａｒｙ  ２０１４）」で説明される通りである。３ＧＰＰの多くの詳細および特性が、開発され続ける。本開示は、３ＧＰＰにおいて、ならびにＨｅｔＮｅｔ等の種々の他のプロトコルおよびネットワークにおいて用途を見出すが、いかなる特定のネットワークまたはプロトコルタイプにも限定されない。
【００１４】
本開示では、ＲＲＭ測定が行われる信号は、発見信号または発見参照信号（ＤＲＳ）と表される。ＤＲＳの実施例は、種々の実施形態では、チャネル状態情報参照信号（ＣＳＩ−ＲＳ）、ＣＲＳ、および／または測位参照信号（ＰＲＳ）のレガシーバージョンもしくは修正バージョンである。
【００１５】
本開示のいくつかの実施形態では、発見バーストは、長い周期を用いて伝送される。発見バーストの持続時間は、約１ミリ秒であり得、典型的周期は、４０、８０、１６０、および３２０ミリ秒を含み得るが、他の持続時間が他の実施形態で使用される。いくつかの実施形態では、発見バーストはまた、別様にオフであるセルから伝送されることもできる。
【００１６】
他の実施形態では、発見バーストは、限定されないが、ＰＳＳおよびＤＲＳ等の複数の信号から成る。そのような設計実施形態では、ＵＥは、必要であれば、ＤＲＳにＲＲＭ測定を行う前に、粗同期化のためにＰＳＳを使用することができる。ＵＥは、検出されたＰＳＳの時間および周波数場所に基づいて、ＤＲＳの時間および周波数場所を推測することができ、すなわち、ＰＳＳは、発見バーストのための時間および周波数の参照点としての機能を果たしてもよい。
【００１７】
他の実施形態では、発見バーストは、複数の異なるセルまたは伝送点から伝送される。いくつかの実施形態では、これらの発見バーストは、時間が重複する。次いで、ＵＥは、受信された集約発見バースト上の複数のセルまたは伝送点にＲＲＭ測定を行うことができる。これは、時間および周波数が十分に同期化されている複数のセルまたは伝送点からの伝送を伴ってもよい。いくつかの実施形態では、異なるセルまたは伝送点からの信号は、種々の実施形態では、時間、周波数、または符号によって等、異なる方法で多重化される。発見バーストがＰＳＳ／ＳＳＳを含有する場合、異なるセルまたは伝送点が、レガシー動作の場合のように、異なるシーケンス、すなわち、異なるＰＣＩを使用することによって、多重化されてもよい。発見バーストがＣＳＩ−ＲＳを含有する場合、異なるセルまたは伝送点が、異なる時間および／または周波数リソースを使用することによって、また、その内容がそれらの全体として記載される場合のように、参照することによって本明細書に組み込まれる、Ｄａｈｌｍａｎ，  Ｐａｒｋｖａｌｌ，  Ｓｋｏｌｄ，  “４Ｇ  ＬＴＥ／ＬＴＥ−Ａｄｖａｎｃｅｄ  ｆｏｒ  Ｍｏｂｉｌｅ  Ｂｒｏａｄｂａｎｄ”，  Ａｃａｄｅｍｉｃ  Ｐｒｅｓｓ，  ２０１１で説明されるような異なるカバーコードを使用することによって、多重化されることができる。
【００１８】
ＵＥの努力、複雑性、および電力消費を低減させるために、本開示は、ＵＥが発見バーストを見出すことを期待し得る検索ウィンドウをＵＥに提供するように、サービングセルを提供する。検索ウィンドウは、例えば、サービングセルのタイミングおよび検索ウィンドウ持続時間に関してオフセットされた時間であり得る。発見バースト周期の知識を持って、ＵＥは、検索ウィンドウのシーケンス内で発見バーストのシーケンスを見出すことを期待することができる。
【００１９】
いくつかの実施形態では、送信セルによって送信される発見バーストは、ＰＳＳを含有する。発見バーストがＰＳＳを含有する、一実施形態では、発見バーストのＰＳＳは、レガシーＰＳＳと時間および周波数が一致する。発見バーストがＰＳＳを含有する、他の実施形態では、発見バーストのＰＳＳは、レガシーＰＳＳと時間および周波数が一致しない。
【００２０】
送信セルによって送信される発見バーストがＰＳＳを含有する、いくつかの実施形態では、本開示の側面は、ＰＳＳが発見バーストの一部であるかどうか、またはＰＳＳが発見バーストの一部ではないレガシーＰＳＳであるかどうかを区別することができるように、ＵＥを提供する。ＵＥが、本開示の実装を伴わずに起こり得るように、レガシーＰＳＳを発見バースト内のＰＳＳと間違える場合、ＵＥは、間違ったリソースに測定を行い、誤った測定結果をもたらし得る。他の実施形態では、ＵＥは、測定が発見バーストに行われることを確認するために、測定の前にＤＲＳに検出動作を行う。本開示の側面は、ＰＳＳが発見バーストの一部であるかどうか、またはそれがレガシーＰＳＳであるかどうかをＵＥが区別することを可能にし、本開示の本側面は、複雑で電力を消費し得る、前述の余剰検出動作と比べて、利点を提供する。
【００２１】
いくつかの実施形態では、検索ウィンドウが提供され、検索ウィンドウが発見バーストを含有すると仮定されるが、他の実施形態では、そのような検索ウィンドウは提供されない。検索ウィンドウは、サービングセルによって提供されてもよい。
【００２２】
発見バーストがレガシーＰＳＳ／ＳＳＳと同一のＰＳＳ／ＳＳＳ（例えば、ＰＳＳとＳＳＳとの間のレガシーＰＳＳ／ＳＳＳと同一の時間差等）を含有する、いくつかの実施形態では、発見バーストのＰＳＳ／ＳＳＳは、レガシーＰＳＳ／ＳＳＳと時間および周波数が一致する。発見バーストがレガシーＰＳＳ／ＳＳＳと同一のＰＳＳ／ＳＳＳを含有する、他の実施形態では、発見バーストのＰＳＳ／ＳＳＳは、レガシーＰＳＳ／ＳＳＳと時間および周波数が一致しない。
【００２３】
本開示のいくつかの実施形態では、ＵＥは、ＰＳＳ／ＳＳＳの特性を検出する。いくつかの実施形態では、ＵＥは、ＰＳＳとＳＳＳとの間の時間差を検出することによって、ＦＤＤまたはＴＤＤが使用されるかどうかを知る。ＵＥがＰＳＳ／ＳＳＳ特性についての複数の仮説を有し得る、一実施形態では、各仮説は、それが判定される前に、レガシーＰＳＳ／ＳＳＳに従って考慮されることができる。
【００２４】
発見バーストがＰＳＳ／ＳＳＳを含有する、いくつかの実施形態では、本開示の側面は、ＰＳＳ／ＳＳＳが発見バーストの一部であるかどうか、またはそれが発見バーストの一部ではないレガシーＰＳＳ／ＳＳＳであるかどうかを区別することができるように、ＵＥを提供する。ＵＥが、本開示の実装を伴わずに起こり得るように、レガシーＰＳＳ／ＳＳＳを発見バースト内のＰＰＳＳ／ＳＳＳと間違える場合、ＵＥは、一実施形態では、間違ったリソースに測定を行い得、誤った測定結果をもたらし得る。いくつかの実施形態では、ＵＥは、測定が発見バーストに行われることを確認するために、測定の前にＤＲＳに検出動作を行う。本開示の側面は、ＵＥが、ＰＳＳ／ＳＳＳが発見バーストの一部であるかどうか、またはそれがレガシーＰＳＳ／ＳＳＳであるかどうかを区別することができるようにし、複雑で電力を消費し得る、前述の余剰検出動作と比べて、利点を提供する。
【００２５】
いくつかの実施形態では、検索ウィンドウが提供され、発見バーストを含有する。他の実施形態では、検索ウィンドウは、発見バーストを含有せず、なおも他の実施形態では、検索ウィンドウは提供されない。
【００２６】
検索ウィンドウ情報を提供するために、サービングセルは、例えば、各自の伝送タイミングに関して、発見バーストの伝送時間を把握しなければならない。いくつかの実施形態では、従来的にサービングセルに利用可能な検索ウィンドウ情報は、不正確である、または間違っている。不正確な、または間違った検索ウィンドウがＵＥに提供される場合、検索ウィンドウは、発見バーストを含有しない、または少なくとも完全な発見バーストを含有しないであろう。発見バーストが、検索ウィンドウが発見バーストを含有するかどうかを区別するためにＵＥが使用することができる一部を含有する、実施形態では、不正確な、または間違った検索ウィンドウ情報が、その一部を検索ウィンドウ外にもたらし得る。そのような実施形態では、たとえ検索ウィンドウが部分的に発見バーストを捕捉したとしても、本発明の利点がなければ、ＵＥは、発見バーストを区別することができない。したがって、不正確な検索ウィンドウ情報は、本発明の利点がなければ、誤った測定をもたらし得る。いくつかの実施形態では、これは、本発明の利点がなければ、検索ウィンドウが発見バーストを含有することを確認するために、望ましくないが、付加的検出動作を行うようにＵＥに要求し得る。
【００２７】
サービングセルが正確な検索ウィンドウ情報を有していないときの実施例は、発見バーストを伝送するサービングセルの基地局およびセルの基地局が、非理想的バックホールと接続される場合、すなわち、大幅な遅延および／またはジッタと関連がある場合、あるいは、基地局の間の相対的時間差が、例えば、異なるクロックに起因して時間とともに変化する場合を含む。検索ウィンドウが、発見バーストの一部ではない信号を読み取ることに起因して複雑である発見バーストを含有することを確認するために、付加的検出動作を行うようにＵＥに要求することを回避する、本開示の側面が提供される。
【００２８】
前述の問題に対する解決策の一実施形態は、発見バースト設計にある。
【００２９】
いくつかの実施形態では、発見バースト内の同期化信号の特性は、ＵＥが発見バーストの同期化信号をレガシー同期化信号と区別することができるようなものである。いくつかの実施形態では、これらの特性は、同期化信号を見出した後に容易に取得されることができる。これは、ＵＥが間違った時間および／または周波数パラメータを使用して発見バースト測定を行うことを回避する。ＵＥはまた、ＤＲＳ等の他の信号に対してより複雑で電力を消費する検出動作を行うことを回避することもできる。
【００３０】
いくつかの実施形態では、同期化信号特性は、発見バースト内のＰＳＳとＳＳＳとの間の時間差である。いくつかの実施形態では、時間差は、ＳＳＳがＰＳＳの後にＯＦＤＭ（直交周波数分割多重化）記号において伝送されるようなものである。いくつかの実施形態では、時間差は、ＳＳＳがＰＳＳから３つのＯＦＤＭ記号後に伝送されるようなものであるが、他の時間差およびシーケンスも、他の実施形態で使用される。いくつかの実施形態では、ＳＳＳは、ＦＤＤが使用される場合、ＰＳＳの後にＯＦＤＭ記号において伝送され、ＳＳＳは、ＴＤＤが使用される場合、ＳＳＳから３つのＯＦＤＭ記号後に伝送される。
【００３１】
いくつかの実施形態では、同期化信号特性は、発見バースト内のＰＳＳとＳＳＳとの間の周波数差である。いくつかの実施形態では、同期化信号特性は、同期化信号に使用される１つまたはそれを上回るシーケンス、もしくはそのようなシーケンスの組み合わせ、すなわち、同期化信号に使用されるシーケンス、またはそれらの組み合わせである。いくつかの実施形態では、同期化信号シーケンスおよび／または組み合わせが、発見バーストのために留保される。いくつかの実施形態では、１つまたはそれを上回るＰＣＩが、発見バーストのために留保される。いくつかの実施形態では、同期化信号の組み合わせは、発見バーストの一部であるＰＣＩに対応する。いくつかの実施形態では、ネットワークは、いくつかの物理セル識別（ＰＣＩ）を送信セルによって送信される発見バーストに割り当て、他のＰＣＩをレガシー同期化信号に割り当てる。
【００３２】
いくつかの実施形態では、特性は、ＰＣＩと、ＰＳＳおよびＳＳＳを含有する同期化信号のシーケンスの組み合わせとの間の対応であり、ＵＥは、同期化信号に使用されるシーケンスの組み合わせが、発見バーストに使用されるＰＣＩに対応するかどうかを判定することによって、同期化信号が発見バーストの一部であるかどうかを判定する。いくつかの実施形態では、前述の特性等の複数の信号特性が、発見バーストを区別するためにＵＥによって使用される。
【００３３】
いくつかの実施形態では、発見バーストは、複数のＰＳＳ、すなわち、ＰＳＳのための複数の時間・周波数場所を含有する。いくつかの実施形態では、これらの複数のＰＳＳの特性は、ＵＥが、５ミリ秒毎に同一の周波数上で伝送される複数のレガシーＰＳＳとそれらを区別することができるようなものである。いくつかの実施形態では、発見バーストの複数のＰＳＳは、５ミリ秒未満だけ分離され、他の実施形態では、発見バーストは、１ミリ秒以内に複数のＰＳＳを含有する。
【００３４】
いくつかの実施形態では、発見バーストは、複数の二次同期化信号、すなわち、ＳＳＳのための複数の時間・周波数場所を含有する。いくつかの実施形態では、これらの複数のＳＳＳの特性は、ＵＥがそれらを複数のレガシーＳＳＳと区別することができるようなものである。セルからのレガシーＳＳＳは、５ミリ秒毎に発生し得るが、セルは、背景技術で議論されるように、ＬＴＥにおいて１０ミリ秒毎に同一のＳＳＳを伝送する。いくつかの実施形態では、発見バーストの複数のＳＳＳは、５ミリ秒未満だけ分離される。いくつかの実施形態では、発見バーストの複数のＳＳＳは、レガシーＳＳＳ、つまり、レガシーＳＳＳと時間および周波数が一致するＳＳＳを含む。いくつかの実施形態では、複数のＳＳＳを伴う発見バーストは、異なるＳＳＳに同一のシーケンスを使用し、すなわち、セルは、異なるＳＳＳに同一のシーケンスを使用するが、別のセルは、異なるＳＳＳに別のシーケンスを使用してもよい。いくつかの実施形態では、複数のＳＳＳを伴う発見バーストは、異なるＳＳＳに異なるシーケンスを使用し、すなわち、セルは、異なるＳＳＳに異なるシーケンスを使用する。
【００３５】
いくつかの実施形態では、発見バーストは、１つまたは複数のＰＳＳと、１つまたは複数のＳＳＳとを含有する。一実施形態では、これらのＰＳＳおよびＳＳＳの特性は、ＵＥがそれらをレガシーＰＳＳ／ＳＳＳと区別することができるようなものである。
【００３６】
いくつかの実施形態では、上記の実施形態における発見バースト同期化信号特性は、構成可能である。いくつかの実施形態では、ＵＥは、サービングセルによって発見バースト同期化信号の特性を知らされる。いくつかの実施形態では、サービングセルは、ＵＥが発見バースト内で同期化信号および同期化信号特性を検出するときに、ＵＥが検出された特性と比較する、１つまたはそれを上回る識別された同期化信号特性をＵＥに知らせる。
【００３７】
いくつかの実施形態では、発見バーストへのＲＲＭ測定のためのＵＥプロシージャは、図１に示される以下のステップを含む。ステップ１０１では、ＵＥは、同期化信号を検出し、必要であれば、検出された同期化信号を使用して、セルとの同期化を取得する。いくつかの実施形態では、粗同期化が取得され、他の実施形態では、粗または他の同期化は必要とされない。いくつかの実施形態では、送信セルは、ＨｅｔＮｅｔ通信システム内の低電力ノード（ＬＰＮ）である、小型セルである。同期化信号は、上記で説明される通りである。ステップ１０３では、ＵＥは、同期化信号特性を検出し、検出された同期化信号の特性に基づいて、同期化信号が発見バーストの一部であるかどうかを判定する。そのような同期化信号特性は、上記で議論され、発見バースト内のＰＳＳとＳＳＳとの間の時間差と、発見バースト内のＰＳＳとＳＳＳとの間の周波数差と、同期化信号のシーケンスと、他の特性とを含む。上記のように、いくつかの実施形態では、ＵＥは、サービングセルによって特性を知らされ、サービングセルによって備え付けられた特性を検出された同期化信号特性と比較する。それらの検出された特性が、ＵＥに公知の識別された特性に従っているため、同期化信号が送信セルからの発見バーストの一部であると判定される（ステップ１０５）、すなわち、「はい」１０７である場合には、ＵＥは、ステップ１０９の場合のように、送信セルからの発見バースト内の信号にＲＲＭ測定を行ってもよく、そのような測定は、「発見ＲＲＭ測定」と称されてもよい。いくつかの実施形態では、発見ＲＲＭ測定は、ＤＲＳ信号に行われてもよい。同期化信号が、ステップ１０５において発見バーストの一部ではない、すなわち、「いいえ」１１１である、すなわち、検出された同期化信号の特性が、ＵＥによって公知である発見バースト特性に従っていない場合、ＵＥは、ステップ１１３において等、検出された同期化信号を使用する粗同期化に基づいて、発見バーストの他の信号にＲＲＭ測定を行わない。発見ＲＲＭ測定は、本明細書で議論されるような参照信号受信電力（ＲＳＲＰ）および参照信号受信品質（ＲＳＲＱ）測定、または他の測定を含んでもよい。たとえＵＥが（本明細書に説明される多くの実施形態のように）検索ウィンドウ内で発見バーストベースのＲＲＭ測定を行わなくても、ＵＥは、依然として、例えば、検索ウィンドウ内で、レガシーＣＲＳベースのＲＲＭ測定を行ってもよい。種々の実施形態では、次いで、ＵＥは、ＵＥが測定された送信セルと通信するべきであるかどうかを判定するように、送信セルに行われる発見ＲＲＭ測定をサービングセルに送信する。
【００３８】
検索ウィンドウ実施形態による、発見バーストへのＲＲＭ測定（すなわち、「発見ＲＲＭ測定」）のためのＵＥプロシージャは、図２に示される以下のステップを含む。ステップ２０１では、ＵＥは、構成された検索ウィンドウ内で検出される同期化信号の特性を評価するかどうか構成される。構成された検索ウィンドウ内で検出される同期化信号の特性を評価するように肯定的に構成された場合（「肯定」２０３）、ＵＥはまた、検出された同期化信号が発見バーストの一部であるとＵＥが判定する場合かつその場合のみ、検索ウィンドウ内の信号に発見ＲＲＭ測定を行うように構成されてもよい。種々の実施形態では、ＵＥは、サービングセルによって構成される。ＵＥがステップ２０１で肯定的に構成される、すなわち、「肯定」２０３である場合、ＵＥは、ステップ２０５ａにおいて構成された検索ウィンドウ内で同期化信号を検出する。ステップ２０５ｂでは、ＵＥは、随意に、検出された同期化信号を使用して粗同期化を取得するが、他の実施形態では、粗同期化を取得する必要がなくてもよい。ステップ２０５ｃでは、ＵＥは、図１と併せて説明されるように、それらの特性に基づいて、検出された同期化信号が発見バーストの一部であるかどうかを判定する。そのような同期化信号特性は、上記で議論される。同期化信号が、それらの特性に基づいて、発見バーストの一部である場合、ＵＥは、ステップ２０５ｄにおいて発見バースト内の他の信号にＲＲＭ測定を行ってもよい。いくつかの実施形態では、ＵＥは、ＤＲＳが検索ウィンドウの内側の発見バーストの一部であるため、そのような信号にＲＲＭ測定を行う。同期化信号がステップ２０５ｅにおいて発見バーストの一部ではない場合、ＵＥは、発見バースト内の他の信号にＲＲＭ測定を行わない。
【００３９】
ステップ２０１で否定的に構成される、すなわち、「否定」２０７である場合、ＵＥは、構成された検索ウィンドウ内で同期化信号の特性を評価するように構成されない。ステップ２０９ａでは、必要であれば、ＵＥは、構成された検索ウィンドウ内で同期化信号を検出する。ステップ２０９ｂでは、ＵＥは、上記で説明されるように、必要であれば、検出された同期化信号を使用して粗同期化を取得する。ＵＥは、ステップ２０９ｃにおいて、ＤＲＳ等の発見バースト内の他の信号が検索ウィンドウの内側にあることが判定される場合、そのような他の信号にＲＲＭ測定を行ってもよいが、ＵＥは、否定的に構成された場合、同期化信号の特性を評価しない。
【００４０】
例えば、上記のステップ２０５ａ、２０９ａ、および２０９ｂにおいて、発見バースト同期化信号が必要とされない、いくつかの実施形態では、検索ウィンドウは、ＵＥが粗同期化を取得するために発見バースト同期化信号を使用する必要がないように、精密に規定される。いくつかの実施形態では、ＵＥは、ＵＥが粗同期化を取得するために発見バースト同期化信号を使用する必要がないように、明示的に構成される。いくつかの実施形態では、ＵＥは、発見バースト内の他の信号にＲＲＭ測定を直接行い、したがって、発見バースト同期化信号の使用を回避する。発見バースト同期化信号の使用の本回避が可能である、一実施形態は、発見バーストを伝送するサービングセルおよびセルまたは伝送点のダウンリンク伝送が十分に同期化される、実施形態である。本同期化信号省略技法が可能である、別の実施形態は、発見バーストを伝送するサービングセルおよびセルまたは伝送点が理想的バックホールと接続される、実施形態である。
【００４１】
いくつかの実施形態では、ＵＥは、その内容がそれらの全体として記載される場合のように、参照することによって本明細書に組み込まれる、Ｓｅｓｉａ  ｅｔ  ａｌ，  “ＬＴＥ−Ｔｈｅ  ＵＭＴＳ  Ｌｏｎｇ  Ｔｅｒｍ  Ｅｖｏｌｕｔｉｏｎ−Ｆｒｏｍ  ｔｈｅｏｒｙ  ｔｏ  ｐｒａｃｔｉｃｅ”，  Ｗｉｌｅｙ，  ２０１１で説明されるように、発見バーストを受信するように測定間隙を伴って構成される。いくつかの実施形態では、サービングセルが、発見バーストが伝送される別のキャリア上で動作し、ＵＥが単一の受信機を有するとき、ＵＥは、有利なこととして、測定間隙を伴って構成される。いくつかの実施形態では、ＵＥのために構成される検索ウィンドウは、ＵＥの測定間隙内に入る。いくつかの実施形態では、検索ウィンドウは、周期的に起こり、各検索ウィンドウが測定間隙内で発生し得るように、周期は、測定間隙周期の倍数である。いくつかの実施形態では、検索ウィンドウは、測定間隙より狭い。いくつかの実施形態では、発見バーストを受信するための検索ウィンドウは、検索ウィンドウ中に、または一実施形態では、検索ウィンドウの少なくとも一部を含有するサブフレーム内で、サービングセル上で予定に入れられていないことをＵＥが仮定することができるように、任意の構成されたレガシー測定間隙に加えて、新しい測定間隙を単独で画定する。
【００４２】
図３は、検索ウィンドウ内の発見バーストを検出し、その検出を報告するためのＵＥプロシージャの実施形態を図示する。図３の実施形態では、ＵＥは、構成された検索ウィンドウ内で検出される同期化信号の特性を評価するかどうか、および検出された同期化信号が発見バーストの一部であるとＵＥが判定する場合、発見バーストの検出をサービングセルに報告するように構成される。肯定的に構成された場合には、ステップ３０１で、ＵＥは、構成された検索ウィンドウ内で同期化信号を検出し、検索ウィンドウは、種々の実施形態では、サービングセルによって構成される。同期化信号は、上記で説明される通りである。必要であれば、ステップ３０３では、ＵＥは、検出された同期化信号を使用して、送信セルとの粗同期化を取得する。ステップ３０５では、ＵＥは、上記でより完全に説明されるように、それらの特性に基づいて、検出された同期化信号が発見バーストの一部であるかどうかを判定する。同期化信号が発見バーストの一部である場合には、ステップ３０７で、ＵＥは、発見バーストがサービングセルによって構成される検索ウィンドウ内で検出されたことをサービングセルに報告する。
【００４３】
図４は、サービングセルが不確定検索ウィンドウ情報を有し得る、または検索ウィンドウ情報を全く有し得ない、ＵＥ方法の自律検索ウィンドウ検出（ＡＳＷＤ）実施形態を図示する。そのような実施形態では、サービングセルは、セル検出およびＲＲＭ測定のために十分に正確である、検索ウィンドウの自律、すなわち、独立検出を行う。種々の実施形態では、本開示は、以下のステップを提供する。ステップ４０１では、ＵＥは、サービングセルによって構成される。ステップ４０１では、ＵＥまたは複数のＵＥは、構成された検索ウィンドウ内で検出される同期化信号の特性を評価するように、および上記で説明されるように、検出された同期化信号が発見バーストの一部であるとＵＥが判定する場合かつその場合のみ、検索ウィンドウ内の信号に発見ＲＲＭ測定を行うように構成される。いくつかの実施形態では、ＵＥは、異なる検索ウィンドウを伴って構成される。異なるＵＥは、異なる検索ウィンドウを伴って構成されることができ、またはＵＥは、１つもしくは複数の検索ウィンドウを伴って構成されることができ、具体的には、ＵＥは、順次、すなわち、１つずつ、異なる検索ウィンドウ構成を伴って構成されることができる。異なる検索ウィンドウ構成は、検索ウィンドウのうちの少なくとも１つが発見バーストを含有するはずであるようなものである。
【００４４】
ステップ４０３では、ＵＥのうちの少なくとも１つが、サービングセルによって提供される、構成された検索ウィンドウのうちの１つの内側で同期化信号を検出する。ステップ４０５では、ＵＥは、随意に、検出された同期化信号を使用して、粗同期化を取得する。他の実施形態では、粗同期化がステップ４０５において取得されない。ステップ４０７では、ＵＥは、上記で説明されるように、それらの特性に基づいて、検出された同期化信号が発見バーストの一部であるかどうかを判定する。
【００４５】
同期化信号が発見バーストの一部であり、「はい」４０９である場合、ＵＥは、ステップ４１１において発見バースト内の他の信号にＲＲＭ測定を行う。ＲＲＭ測定は、上記で説明される通りであり、いくつかある信号の中でも検索ウィンドウの内側にある、ＤＲＳ等の信号に行われてもよい。ステップ４１３では、ＵＥが発見バーストにＲＲＭ測定を行なった場合、ＵＥは、結果をサービングセルに報告してもよい。ステップ４１５では、サービングセルは、適切な検索ウィンドウ構成を自律的に検出する。サービングセルは、ＵＥが、検索ウィンドウ内で発見バースト内の同期化信号を検出すること、および発見バーストベースのＲＲＭ測定をサービングセルに報告することを可能にした、構成された検索ウィンドウを把握する。そのようなものとして、したがって、サービングセルは、そのような検索ウィンドウ構成が適切である、すなわち、発見バースト内に同期化信号を含有することを判定することができる。ステップ４０７では、ＵＥが、それらの特性に基づいて、検出された同期化信号が発見バーストの一部ではないことを判定する、すなわち「いいえ」４１９である場合には、ＵＥは、ステップ４２１で示されるように、検索ウィンドウ内の他の信号に発見バーストベースのＲＲＭ測定を行わない。
【００４６】
ＵＥが、ステップ４０３において、サービングセルによって提供される、構成された検索ウィンドウのうちの１つの内側で同期化信号を検出しない場合には、ＵＥは、発見バーストに発見ＲＲＭ測定を行わず、ステップ４１３の場合のように、結果をサービングセルに報告することができず、かつ報告しない。本シナリオでは、次いで、ＵＥは、ステップ４０３において等、サービングセルによって提供される、構成された検索ウィンドウのうちのもう１つの内側で同期化信号を検出しようとしてもよい。代替として、または加えて、ＵＥから測定報告を受信していない時間の後、サービングセルは、１つもしくは複数の構成された検索ウィンドウ構成が適切ではなかったことを認識し、ステップ４０１において等、再構成された検索ウィンドウをＵＥに送信し、本プロセスは、説明されるように継続する。再構成された検索ウィンドウは、１つずつ構成されてもよく、いくつかの実施形態では、ＵＥは、サービングセルによって提供される、再構成された検索ウィンドウのうちの１つの内側で同期化信号を検出し、すなわち、検索ウィンドウによって構成される初期検索ウィンドウのうちの１つでは検出しない。
【００４７】
本開示は、以下の利点を提供する。ステップ４１１において、間違った検索ウィンドウ構成を伴うＵＥが、ＵＥがＤＲＳと見なしたものにＲＲＭ測定を続けて行ったであろう場合、ＵＥは、（ある他の信号の）高い電力を測定し、結果を報告したかもしれない。ＵＥは、典型的には、検出された同期化信号の時間および周波数場所に基づいて、ＤＲＳの時間および周波数場所を判定したであろう。本開示の方法は、本問題を回避する。本開示の方法を用いると、ＵＥは、最初に、ＲＲＭ測定を行う前に、検出された同期化信号が発見バーストの一部であるかどうかを判定する。したがって、誤って報告される結果が回避され、自律検索ウィンドウ検出が可能にされる。
【００４８】
いくつかの実施形態では、ＵＥは、同期化信号と構成された検索ウィンドウとの間の相対的タイミング差が時間とともに変化するかどうか、および／またはどれだけ変化するかを検出するように構成される。いくつかの実施形態では、ＵＥは、相対的時間差の本変化をサービングセルに報告するように構成される。これは、サービングセルが発見バーストをより良好に捕捉するように検索ウィンドウ構成を調節することに役立ち得る。
【００４９】
用語「ｅｘｅｍｐｌａｒｙ（例示的）」は、「実施例または例証としての役割を果たす」ことを意味するように本明細書で使用される。「ｅｘｅｍｐｌａｒｙ（例示的）」として本明細書に説明される任意の側面または設計は、必ずしも、他の側面または設計よりも好ましいまたは有利であると解釈されるものではない。
【００５０】
先述は、本開示の原理を例証するにすぎない。したがって、当業者は、本明細書で明示的に説明または図示されていないが、本開示の原理を具現化し、その精神および範囲内に含まれる種々の配列を考案できるであろうことが理解されるであろう。さらに、本明細書に記載される全ての実施例および条件付き用語は、主に、教育上の目的のためにすぎず、本開示の原理および本発明者らによって当技術分野を促進することに寄与される概念を読者が理解することに役立つことを明示的に意図しており、かつそのように具体的に記載された実施例および条件に限定せず解釈される。また、本発明の原理、側面、および実施形態、ならびにそれらの具体的実施例を記載する、本明細書の全ての記述は、それらの構造的および機能的均等物の両方を包含することを意図している。加えて、そのような均等物は、現在公知の均等物および将来開発される均等物の両方、すなわち、構造にかかわらず同一の機能を果たす、任意の開発される要素を含むことが意図される。
【００５１】
本発明の１つまたはそれを上回る実施形態が上記に説明されているが、それらは、実施例のみとして、かつ限定としてではなく提示されていることを理解されたい。本開示は、例証される例示的アーキテクチャまたは構成に制限されないが、様々な代替アーキテクチャおよび構成を使用して、実装されることができる。
【００５２】
本書に説明される１つまたはそれを上回る機能は、適切に構成されるモジュールによって果たされてもよい。本明細書で使用されるような用語「モジュール」は、ハードウェア、ファームウェア、ソフトウェア、およびソフトウェアを実行する任意の関連ハードウェア、ならびに本明細書に説明される関連機能を果たすためのこれらの要素の任意の組み合わせを指すことができる。加えて、種々のモジュールは、離散モジュールであり得るが、当業者に明白であろうように、本発明の種々の実施形態による、２つまたはそれを上回るモジュールが、関連機能を果たす単一のモジュールを形成するように組み合わせられてもよい。逆に、本発明の種々の実施形態による、単一のモジュールが、それぞれの関連機能を果たす２つまたはそれを上回るモジュールに分割されてもよい。
【００５３】
加えて、本書に説明される１つまたはそれを上回る機能は、概して、メモリストレージデバイスまたはストレージユニット等の媒体を指すために本明細書で使用される、「コンピュータプログラム製品」、「非一過性コンピュータ可読記憶媒体」、および同等物内に記憶されるコンピュータプログラムコードを用いて果たされてもよい。コンピュータ可読媒体のこれらおよび他の形態は、プロセッサに規定の動作を行なわせるために、プロセッサによる使用のための１つまたはそれを上回る命令を記憶することに関与してもよい。そのような命令は、概して、実行されると、コンピューティングシステムが所望の動作を行うことを可能にする、「コンピュータプログラムコード」（コンピュータプログラムまたは他のグループ化の形態でグループ化され得る）と称される。
【００５４】
本開示の種々の側面によると、方法と、非一過性コンピュータ可読記憶媒体とが提供され、該非一過性コンピュータ可読記憶媒体は、コンピュータ実行可能プログラムコードであって、プロセッサによって実行されたときに、ワイヤレス通信システム内でワイヤレス通信のための方法を行う、プログラムコードを備える。本方法は、ユーザ機器（ＵＥ）が、同期化信号を検出し、検出された同期化信号を使用してセルとの粗同期化を取得するステップと、ＵＥが、検出された同期化信号の特性に基づいて、同期化信号が発見バーストの一部であるかどうかを判定するステップと、同期化信号が発見バーストの一部である場合に、ＵＥが、該発見バースト内の信号に発見無線リソース管理（ＲＲＭ）測定を行うステップとを含む。
【００５５】
本開示の別の側面によると、方法と、非一過性コンピュータ可読記憶媒体とが提供され、該非一過性コンピュータ可読記憶媒体は、コンピュータ実行可能プログラムコードであって、プロセッサによって実行されたときに、ワイヤレス通信システム内でワイヤレス通信のための方法を行う、プログラムコードを備える。本方法は、サービングセルが、検索ウィンドウを伴ってユーザ機器（ＵＥ）を構成するステップと、ＵＥが、構成された検索ウィンドウ内で同期化信号を検出するステップと、ＵＥが、検出された同期化信号の特性に基づいて、検出された同期化信号が発見バーストの一部であるかどうかを判定するステップと、同期化信号が発見バーストの一部である場合に、ＵＥが、発見バースト内の信号に発見無線リソース管理（ＲＲＭ）測定を行い、同期化信号が発見バーストの一部ではない場合に、ＵＥが、発見バースト内の信号にＲＲＭ測定を行わないステップとを含む。
【００５６】
本開示の別の側面によると、方法と、非一過性コンピュータ可読記憶媒体とが提供され、該非一過性コンピュータ可読記憶媒体は、コンピュータ実行可能プログラムコードであって、プロセッサによって実行されたときに、ワイヤレス通信システム内でワイヤレス通信のための方法を行う、プログラムコードを備える。本方法は、サービングセルが、連続し得る複数の検索ウィンドウを伴ってＵＥを構成するステップを含む。いくつかの実施形態では、サービングセルは、一度に１つの検索ウィンドウを伴ってＵＥを構成し、次いで、ＵＥが構成された検索ウィンドウ構成のうちの１つの内側で同期化信号を検出しない場合、後に、複数の検索ウィンドウ構成を伴ってＵＥを再構成する。本方法はまた、ＵＥが、複数の構成された検索ウィンドウ構成のうちの検出される構成された検索ウィンドウ構成内で同期化信号を検出するステップと、ＵＥが、検出された同期化信号を使用して、送信セルとの粗同期化を取得するステップと、ＵＥが、検出された同期化信号の特性に基づいて、同期化信号が送信セルによって送信される発見バーストの一部であるかどうかを判定するステップとを含む。本方法はまた、同期化信号が該発見バーストの一部である場合に、ＵＥが、発見バースト内の信号に発見ＲＲＭ測定を行うステップと、同期化信号が発見バーストの一部である場合に、ＵＥが、発見ＲＲＭ測定の結果をサービングセルに報告するステップと、サービングセルが、検出される構成された検索ウィンドウ構成が発見バーストを含有する適切な検索ウィンドウ構成であることを自律的に判定するステップとを含む。
【００５７】
本開示の別の側面によると、方法と、非一過性コンピュータ可読記憶媒体とが提供され、該非一過性コンピュータ可読記憶媒体は、コンピュータ実行可能プログラムコードであって、プロセッサによって実行されたときに、ワイヤレス通信システム内でワイヤレス通信のための方法を行う、プログラムコードを備える。本方法は、サービングセルが、複数の検索ウィンドウ構成を伴って複数のＵＥを構成するステップと、複数のＵＥのうちの第１のＵＥが、複数の検索ウィンドウ構成のうちの第１の構成された検索ウィンドウ内で同期化信号を検出するステップと、ＵＥが、検出された同期化信号を使用して、送信セルとの粗同期化を取得するステップと、ＵＥが、検出された同期化信号の特性に基づいて、同期化信号が送信セルによって送信される発見バーストの一部であるかどうかを判定するステップと、同期化信号が発見バーストの一部である場合に、ＵＥが、発見バースト内の信号に発見ＲＲＭ測定を行うステップと、同期化信号が発見バーストの一部である場合に、ＵＥが、発見ＲＲＭ測定の結果をサービングセルに報告するステップと、サービングセルが、第１の構成された検索ウィンドウ構成が発見バーストを含有する適切な検索ウィンドウ構成であることを自律的に判定するステップとを含む。
【００５８】
本開示の別の側面によると、方法と、非一過性コンピュータ可読記憶媒体とが提供され、該非一過性コンピュータ可読記憶媒体は、コンピュータ実行可能プログラムコードであって、プロセッサによって実行されたときに、ワイヤレス通信システム内でワイヤレス通信のための方法を行う、プログラムコードを備える。本方法は、ユーザ機器（ＵＥ）が、ＰＳＳ信号およびＳＳＳ信号を含む同期化信号を検出し、検出された同期化信号を使用して、セルとの同期化を取得するステップと、ＵＥが、同期化信号に使用されるシーケンスの組み合わせが発見バーストに使用されるＰＣＩに対応するかどうかを判定することによって、同期化信号が発見バーストの一部であるかどうかを判定するステップとを含む。
【００５９】
明確性の目的のために、上記の説明は、異なる機能的ユニットおよびプロセッサを参照して、本発明の実施形態を説明していることが認識されるであろう。しかしながら、異なる機能的ユニット、プロセッサ、または領域の間での機能性の任意の好適な分配は、本発明から逸脱することなく、使用されてもよいことが明白であるであろう。例えば、別個のユニット、プロセッサ、またはコントローラによって行われるように例証される機能性は、同一のユニット、プロセッサ、またはコントローラによって行われてもよい。故に、具体的な機能的ユニットの言及は、厳密な論理的または物理的構造もしくは編成を示すのではなく、説明された機能性を提供するための好適な手段の言及のみと見なされる。
【００６０】
実施形態の本説明は、記載された説明全体の一部と見なされる、付随の図面の図に関連して読まれるように意図される。説明では、「ｌｏｗｅｒ（下側）」、「ｕｐｐｅｒ（上側）」、「ｈｏｒｉｚｏｎｔａｌ（水平な）」、「ｖｅｒｔｉｃａｌ（垂直な）」、「ａｂｏｖｅ（上方）」、「ｂｅｌｏｗ（下方）」、「ｕｐ（上昇）」、「ｄｏｗｎ（下降）」、「ｔｏｐ（上面）」、および「ｂｏｔｔｏｍ（底面）」ならびにそれらの派生語（例えば、「ｈｏｒｉｚｏｎｔａｌｌｙ（水平に）」、「ｄｏｗｎｗａｒｄｌｙ（下方に）」、「ｕｐｗａｒｄｌｙ（上方に）」等）等の相対的用語は、そこで議論中の図面中に説明される、または示されるような配向を指すように解釈されるべきである。これらの相対的用語は、説明の便宜上のためのものであって、装置が特定の配向において構築される、または動作させることを要求しない。「ｃｏｎｎｅｃｔｅｄ（接続される）」、および「ｉｎｔｅｒｃｏｎｎｅｃｔｅｄ（相互接続される）」等の、取着、結合、および同等物に関する用語は、別様に明示的に説明されない限り、構造が、介在構造を通して、直接または間接的のいずれかにおいて、相互に固着または取着される関係、ならびに可動のまたは堅い取着もしくは関係の両方を指す。
【００６１】
本発明は、例示的実施形態の観点から説明されているが、それに限定されない。むしろ、添付の請求項は、本発明の均等物の範疇および範囲から逸脱することなく当業者によって行われ得る、他の変異形および実施形態を含むように、広義に解釈されるべきである。
【図１】
0006388664.tif 000002
【図２】
0006388664.tif 000003
【図３】
0006388664.tif 000004
【図４】
0006388664.tif 000005